(57)【要約】【課題】伝送遅延測定時の測定負担を軽減しつつ、測定精度を向上させることができるメディアゲートウェイ装置を提供すること。【解決手段】第１インタフェース部２０は、音声パケットジェネレータ５からの伝送遅延測定用の音声パケットＶを受信したときに音声パケットＶにおける特定パターンを検出する第１通信部２１と、特定パターンを検出したときに遅延測定用パケットＩを生成し、遅延測定端末６に送信する第１生成部２２と、を有する。第２インタフェース部３０は、第１インタフェース部２０からの音声パケットＶを受信したときに音声パケットＶにおける特定パターンを検出する第２通信部３１と、特定パターンを検出したときに遅延測定用パケットＡを生成し、遅延測定端末６に送信する第２生成部３３と、を有する。遅延測定端末６は、遅延測定用パケットＩ、Ａのそれぞれの到達時刻の差分を算出する。【選択図】図１
2011035674.tif 000002
【特許請求の範囲】
【請求項１】
第１ネットワークと通信可能に接続される第１インタフェース部と、
前記第１ネットワークのメディアと異なるメディアの第２ネットワークと通信可能に接続される第２インタフェース部と、
前記第１インタフェース部と前記第２インタフェース部とを通信可能に接続するスイッチ部と、
を備え、
前記第１インタフェース部は、
外部からの伝送遅延測定用のデータユニットを受信したときに前記データユニットにおける特定パターンを検出する第１通信部と、
前記第１通信部で前記特定パターンを検出したときに第１遅延測定用パケットを生成し、生成された前記第１遅延測定用パケットを遅延測定端末に送信する第１生成部と、
を有し、
前記第２インタフェース部は、
前記第１インタフェース部からの前記データユニットを受信したときに前記データユニットにおける特定パターンを検出する第２通信部と、
前記第２通信部で前記特定パターンを検出したときに第２遅延測定用パケットを生成し、生成された前記第２遅延測定用パケットを前記遅延測定端末に送信する第２生成部と、
を有することを特徴とするメディアゲートウェイ装置。
【請求項２】
前記第２通信部は、外部からの伝送遅延測定用のデータユニットを受信したときに前記データユニットにおける特定パターンを検出し、
前記第１通信部は、前記第２インタフェース部からの前記データユニットを受信したときに前記データユニットにおける特定パターンを検出することを特徴とする請求項１記載のメディアゲートウェイ装置。
【請求項３】
前記第１生成部は、前記第１通信部で前記特定パターンを検出し、かつ、前記第１通信部にて前記第２インタフェース部又は外部に前記データユニットの最後のビットを送信したときに前記第１遅延測定用パケットを生成し、
前記第２生成部は、前記第２通信部で前記特定パターンを検出し、かつ、前記第２通信部にて外部又は前記第１インタフェース部に前記データユニットの最後のビットを送信したときに前記第２遅延測定用パケットを生成することを特徴とする請求項１又は２記載のメディアゲートウェイ装置。
【請求項４】
前記スイッチ部は、
前記第１生成部と前記遅延測定端末との間で前記第１遅延測定用パケットを通信するための第１通信経路と、
前記第２生成部と前記遅延測定端末との間で前記第２遅延測定用パケットを通信するための第２通信経路と、
前記第１インタフェース部と前記第２インタフェース部との間で前記データユニットを通信するための第３通信経路と、
を有することを特徴とする請求項１乃至３のいずれか一に記載のメディアゲートウェイ装置。
【請求項５】
前記第１生成部及び前記第２生成部は、互いに同様な電子回路で構成されるとともに、同じ周波数のクロックで動作することを特徴とする請求項１乃至４のいずれか一に記載のメディアゲートウェイ装置。
【請求項６】
前記第１インタフェース部は、ＩＰインタフェース部であり、
前記第２インタフェース部は、ＡＴＭインタフェース部であることを特徴とする請求項１乃至５のいずれか一に記載のメディアゲートウェイ装置。
【請求項７】
前記第１インタフェース部は、ＩＰインタフェース部であり、
前記第２インタフェース部は、ＴＭＤインタフェース部であることを特徴とする請求項１乃至５のいずれか一に記載のメディアゲートウェイ装置。
【請求項８】
第１インタフェース部において外部からの伝送遅延測定用のデータユニットを受信したときに前記データユニットにおける特定パターンを検出する工程と、
前記第１インタフェース部において前記特定パターンを検出したときに第１遅延測定用パケットを生成し、生成された前記第１遅延測定用パケットを遅延測定端末に送信する工程と、
第２インタフェース部において前記第１インタフェース部からの前記データユニットを受信したときに前記データユニットにおける特定パターンを検出する工程と、
前記第２インタフェース部において前記特定パターンを検出したときに第２遅延測定用パケットを生成し、生成された前記第２遅延測定用パケットを前記遅延測定端末に送信する工程と、
前記遅延測定端末において前記第１遅延測定用パケット及び前記第２遅延測定用パケットのそれぞれの到達時刻の差分を算出する工程と、
を含むことを特徴とするメディアゲートウェイ装置の伝送遅延測定方法。
【請求項９】
前記第１遅延測定用パケットを生成する際、前記第１インタフェース部において前記特定パターンを検出し、かつ、前記第１インタフェース部において前記第２インタフェース部に前記データユニットの最後のビットを送信したときに前記第１遅延測定用パケットを生成し、
前記第２遅延測定用パケットを生成する際、前記第２インタフェース部において前記特定パターンを検出し、かつ、前記第２インタフェース部において外部に前記データユニットの最後のビットを送信したときに前記第２遅延測定用パケットを生成することを特徴とする請求項８記載のメディアゲートウェイ装置の伝送遅延測定方法。
【発明の詳細な説明】
【技術分野】
【０００１】
本発明は、メディアが異なるネットワーク間にてメディア変換を行うメディアゲートウェイ装置及びその伝送遅延測定方法に関する。
【背景技術】
【０００２】
現在の移動体網は、第３世代（３Ｇ）ネットワークからＩＰ（Internet Protocol）ベースのネットワークに変化している。３Ｇネットワークは、ＡＴＭ（Asynchronous Transfer Mode；非同期転送モード）をベースとしている。この３ＧネットワークをＩＰ網に接続するためには、両ネットワーク間のメディア変換を行うメディアゲートウェイ（Media Gateway；ＭＧＷ）装置を要する（例えば、特許文献１参照）。ＭＧＷ装置１０１には、３ＧネットワークにおけるＲＮＣ２（Radio Network Controller：無線ネットワーク制御局）と接続されるＡＴＭインタフェース部１３０と、ＩＰ網３と接続されるＩＰインタフェース部１２０と、を有する（図２参照）。ＡＴＭインタフェース部１３０とＩＰインタフェース部１２０との間には、イーサネット（登録商標）（レイヤ２）においてブリッジと同等の機能、あるいは、より拡張された機能を持つＬ２ＳＷ（Layer 2 Switch）２０１が介在している。
【先行技術文献】
【特許文献】
【０００３】
【特許文献１】特開２００３−１２５００９号公報
【発明の概要】
【発明が解決しようとする課題】
【０００４】
ＭＧＷ装置はＡＴＭとＩＰという異なるメディアを変換しているため、ＭＧＷ装置を通過する際、音声パケットの伝送遅延の懸念がある。そのため、ＭＧＷ装置を提供する通信メーカーでは、ＭＧＷ装置の評価工程においてＭＧＷ装置内の伝送遅延を測定することが必須事項となっており、その測定精度として１ｍｓｅｃオーダーが要求される。
【０００５】
伝送遅延を測定する時は、図３示すような接続構成とする。すなわち、ＩＰインタフェース部１２０には音声パケットジェネレータ５を接続し、ＡＴＭインタフェース部１３０にはＡＴＭアナライザ４を接続する。音声パケットジェネレータ５よりＩＰパケットとしてテストデータを送信し、ＡＴＭアナライザ４にてＡＴＭセルとなったテストデータを受信する。音声パケットジェネレータ５の送信時刻と、ＡＴＭアナライザ４の受信時刻とを遅延測定端末６にて比較することで伝送遅延が算出される。
【０００６】
伝送遅延の算出にあたっては、音声パケットジェネレータ５とＡＴＭアナライザ４の時刻が正確にあっていることが必要になるが、従来は物理的に別々の装置であるため、人の手操作で時刻合わせ作業が行われる。そのため、測定精度を１ｍｓｅｃオーダーにすることは不可能で、正確な伝送遅延が算出できない。また、伝送遅延を算出する際に測定者の創意工夫に依存することが大きく、人件費も拡大してしまう。さらに、音声パケットジェネレータ５とＡＴＭアナライザ４とを同一装置にすることは、非常に費用がかかり、経済的負担はかなり大きくなる。
【０００７】
本発明の主な課題は、伝送遅延測定時の測定負担を軽減しつつ、測定精度を向上させることができるメディアゲートウェイ装置及びその伝送遅延測定方法を提供することである。
【課題を解決するための手段】
【０００８】
本発明の第１の視点においては、メディアゲートウェイ装置において、第１ネットワークと通信可能に接続される第１インタフェース部と、前記第１ネットワークのメディアと異なるメディアの第２ネットワークと通信可能に接続される第２インタフェース部と、前記第１インタフェース部と前記第２インタフェース部とを通信可能に接続するスイッチ部と、を備え、前記第１インタフェース部は、外部からの伝送遅延測定用のデータユニットを受信したときに前記データユニットにおける特定パターンを検出する第１通信部と、前記第１通信部で前記特定パターンを検出したときに第１遅延測定用パケットを生成し、生成された前記第１遅延測定用パケットを遅延測定端末に送信する第１生成部と、を有し、前記第２インタフェース部は、前記第１インタフェース部からの前記データユニットを受信したときに前記データユニットにおける特定パターンを検出する第２通信部と、前記第２通信部で前記特定パターンを検出したときに第２遅延測定用パケットを生成し、生成された前記第２遅延測定用パケットを前記遅延測定端末に送信する第２生成部と、を有することを特徴とする。
【０００９】
本発明の前記メディアゲートウェイ装置において、前記第２通信部は、外部からの伝送遅延測定用のデータユニットを受信したときに前記データユニットにおける特定パターンを検出し、前記第１通信部は、前記第２インタフェース部からの前記データユニットを受信したときに前記データユニットにおける特定パターンを検出することが好ましい。
【００１０】
本発明の前記メディアゲートウェイ装置において、前記第１生成部は、前記第１通信部で前記特定パターンを検出し、かつ、前記第１通信部にて前記第２インタフェース部又は外部に前記データユニットの最後のビットを送信したときに前記第１遅延測定用パケットを生成し、前記第２生成部は、前記第２通信部で前記特定パターンを検出し、かつ、前記第２通信部にて外部又は前記第１インタフェース部に前記データユニットの最後のビットを送信したときに前記第２遅延測定用パケットを生成するが好ましい。
【００１１】
本発明の前記メディアゲートウェイ装置において、前記スイッチ部は、前記第１生成部と前記遅延測定端末との間で前記第１遅延測定用パケットを通信するための第１通信経路と、前記第２生成部と前記遅延測定端末との間で前記第２遅延測定用パケットを通信するための第２通信経路と、前記第１インタフェース部と前記第２インタフェース部との間で前記データユニットを通信するための第３通信経路と、を有することが好ましい。
【００１２】
本発明の前記メディアゲートウェイ装置において、前記第１生成部及び前記第２生成部は、互いに同様な電子回路で構成されるとともに、同じ周波数のクロックで動作することが好ましい。
【００１３】
本発明の前記メディアゲートウェイ装置において、前記第１インタフェース部は、ＩＰインタフェース部であり、前記第２インタフェース部は、ＡＴＭインタフェース部であることが好ましい。
【００１４】
本発明の前記メディアゲートウェイ装置において、前記第１インタフェース部は、ＩＰインタフェース部であり、前記第２インタフェース部は、ＴＭＤインタフェース部であることが好ましい。
【００１５】
本発明の第２の視点においては、メディアゲートウェイ装置の伝送遅延測定方法において、第１インタフェース部において外部からの伝送遅延測定用のデータユニットを受信したときに前記データユニットにおける特定パターンを検出する工程と、前記第１インタフェース部において前記特定パターンを検出したときに第１遅延測定用パケットを生成し、生成された前記第１遅延測定用パケットを遅延測定端末に送信する工程と、第２インタフェース部において前記第１インタフェース部からの前記データユニットを受信したときに前記データユニットにおける特定パターンを検出する工程と、前記第２インタフェース部において前記特定パターンを検出したときに第２遅延測定用パケットを生成し、生成された前記第２遅延測定用パケットを前記遅延測定端末に送信する工程と、前記遅延測定端末において前記第１遅延測定用パケット及び前記第２遅延測定用パケットのそれぞれの到達時刻の差分を算出する工程と、を含むことを特徴とする。
【００１６】
本発明の前記メディアゲートウェイ装置の伝送遅延測定方法において、前記第１遅延測定用パケットを生成する際、前記第１インタフェース部において前記特定パターンを検出し、かつ、前記第１インタフェース部において前記第２インタフェース部に前記データユニットの最後のビットを送信したときに前記第１遅延測定用パケットを生成し、前記第２遅延測定用パケットを生成する際、前記第２インタフェース部において前記特定パターンを検出し、かつ、前記第２インタフェース部において外部に前記データユニットの最後のビットを送信したときに前記第２遅延測定用パケットを生成することが好ましい。
【発明の効果】
【００１７】
本発明によれば、メディアゲートウェイ装置の各インタフェース部に伝送遅延測定用のデータユニットにおける特定パターンを検出する機能と、特定パターンを検出したときに遅延測定用パケットを生成し遅延測定端末に送信する機能とを備えることで、より正確な精度の遅延測定が可能となる。また、現状の測定作業工数および、測定機材開発費、購入費を削減することができる。
【図面の簡単な説明】
【００１８】
【図１】本発明の実施例１に係るメディアゲートウェイ装置の遅延測定時の接続構成を模式的に示したブロック図である。
【図２】従来例に係るメディアゲートウェイ装置の通常時の接続構成を模式的に示したブロック図である。
【図３】従来例に係るメディアゲートウェイ装置の遅延測定時の接続構成を模式的に示したブロック図である。
【発明を実施するための形態】
【００１９】
本発明の実施形態１に係るメディアゲートウェイ装置では、第１ネットワーク（例えば、ＩＰ網）と通信可能に接続される第１インタフェース部（図１の２０）と、前記第１ネットワークのメディアと異なるメディアの第２ネットワーク（図１のＲＮＣ２）と通信可能に接続される第２インタフェース部（図１の３０）と、前記第１インタフェース部と前記第２インタフェース部とを通信可能に接続するスイッチ部（図１の２０）と、を備え、前記第１インタフェース部は、外部（例えば、図１の音声パケットジェネレータ５）からの伝送遅延測定用のデータユニット（例えば、図１の音声パケットＶ）を受信したときに前記データユニットにおける特定パターンを検出する第１通信部（図１の２１）と、前記第１通信部で前記特定パターンを検出したときに第１遅延測定用パケット（図１の遅延測定用パケットＩ）を生成し、生成された前記第１遅延測定用パケットを遅延測定端末（図１の６）に送信する第１生成部（図１の２２）と、を有し、前記第２インタフェース部は、前記第１インタフェース部からの前記データユニットを受信したときに前記データユニットにおける特定パターンを検出する第２通信部（図１の３１）と、前記第２通信部で前記特定パターンを検出したときに第２遅延測定用パケット（図１の遅延測定用パケットＡ）を生成し、生成された前記第２遅延測定用パケットを前記遅延測定端末に送信する第２生成部（図１の３３）と、を有する。
【実施例１】
【００２０】
本発明の実施例1に係るメディアゲートウェイ装置について図面を用いて説明する。図１は、本発明の実施例１に係るメディアゲートウェイ装置の遅延測定時の接続構成を模式的に示したブロック図である。
【００２１】
ＭＧＷ装置１は、メディアが異なるネットワーク（図２の２、３に相当）間にてメディア変換を行うメディアゲートウェイ装置である。ＭＧＷ装置１は、Ｌ２ＳＷ１０と、ＩＰインタフェース部２０と、ＡＴＭインタフェース部３０と、を備える。
【００２２】
Ｌ２ＳＷ１０は、イーサネット（レイヤ２）においてブリッジと同等の機能、あるいは、より拡張された機能を持つスイッチである。Ｌ２ＳＷ１０は、ポート２４を介してＩＰインタフェース部２０の内部送信処理部２２と通信可能に接続され、ポート３４を介してＡＴＭインタフェース部３０の内部受信処理部３２と通信可能に接続され、音声パケットＶの通信経路として内部送信処理部２２と内部受信処理部３２との間を接続する。Ｌ２ＳＷ１０は、ポート２５を介してＩＰインタフェース部２０の遅延測定用パケット生成部２３と接続され、遅延測定用パケットＩの通信経路として遅延測定用パケット生成部２３と遅延測定端末６とを接続する。Ｌ２ＳＷ１０は、ポート３５を介してＡＴＭインタフェース部３０の遅延測定用パケット生成部３３と通信可能に接続され、遅延測定用パケットＡの通信経路として遅延測定用パケット生成部３３と遅延測定端末６とを接続する。なお、Ｌ２ＳＷ１０の配置構成は１段であり、ＩＰインタフェース部２０とＡＴＭインタフェース部３０との間においてＬ２ＳＷ１０を跨ぐことによる処理遅延は発生しないため、伝送遅延の測定精度に影響を与えることはない。
【００２３】
ＩＰインタフェース部２０は、ＩＰパケットを出力する音声パケットジェネレータ５（ＩＰ網でも可）と接続されるインタフェースである。ＩＰインタフェース部２０は、音声パケットジェネレータ５（ＩＰ網でも可）からの音声パケットＶ（ＩＰパケット）を受信し、受信された音声パケットＶを分割し、分割された音声パケットＶ（複数のセル）を、Ｌ２ＳＷ１０を介してＡＴＭインタフェース部３０に向けて送信する。ＩＰインタフェース部２０は、ＩＰパケット受信部２１と、内部送信処理部２２と、遅延測定用パケット生成部２３と、を備える。
【００２４】
ＩＰパケット受信部２１は、音声パケットジェネレータ５からの音声パケットＶ（ＩＰパケット）を受信し、受信した音声パケットＶを内部送信処理部２２に向けて送信（転送）する。ＩＰパケット受信部２１は、音声パケットＶのペイロード部分の値を検索する機能を有し、事前に特定パターンを登録しておく機能も有する。ＩＰパケット受信部２１は、受信した音声パケットＶにおける特定パターンを検出し、かつ、内部送信処理部２２に対して音声パケットＶの最後のビットを送信したときに、遅延測定用パケット生成部２３に対して遅延測定用パケットＩの送信を指示する送信指示信号Ｉを送信する。
【００２５】
内部送信処理部２２は、ＩＰパケット受信部２１で受信された音声パケットＶ（ＩＰパケット）を所定サイズのセルに分割し、分割された音声パケットＶに係るセルを、ポート２４、Ｌ２ＳＷ１０、ポート３４を介してＡＴＭインタフェース部３０の内部受信処理部３２に向けて送信する。
【００２６】
遅延測定用パケット生成部２３は、ＩＰパケット受信部２１からの送信指示信号Ｉを受信したときに、遅延測定用パケットＩを生成し、生成された遅延測定用パケットＩを、ポート２５、Ｌ２ＳＷ１０を介して遅延測定端末６に向けて送信する。
【００２７】
ＩＰインタフェース部２０は、Ｌ２ＳＷ１０に対して２つのポート２４、２５を有する。ポート２４は、分割された音声パケットＶを導通させる用途で使用するポートである。ポート２５は、遅延測定用パケットＩを導通させる用途で使用するポートである。音声パケットＶと遅延測定用パケットＩの導通ルートを同一ポートにしないことで、２種類のパケット処理遅延がお互いに影響しないようにし、伝送遅延測定精度を上げている。
【００２８】
ＡＴＭインタフェース部３０は、ＡＴＭセルを伝送するＲＮＣ２と接続されるインタフェースである。ＡＴＭインタフェース部３０は、ＩＰインタフェース部２０からの音声パケットＶに係るセルを受信し、受信した音声パケットＶに係るセルに基づいてＡＴＭセルを生成し、生成された音声パケットＶに係るＡＴＭセルをＲＮＣ２に向けて送信する。ＡＴＭインタフェース部３０は、ＡＴＭセル送信部３１と、内部受信処理部３２と、遅延測定用パケット生成部３３と、を備える。
【００２９】
内部受信処理部３２は、内部送信処理部２２からの音声パケットＶに係るセルに基づいてＡＴＭセルを生成し、生成された音声パケットＶに係るＡＴＭセルをＡＴＭセル送信部３１に向けて送信する。
【００３０】
ＡＴＭセル送信部３１は、内部受信処理部３２からの音声パケットＶに係るＡＴＭセルを受信し、受信した音声パケットＶに係るＡＴＭセルをＲＮＣ２に向けて送信（転送）する。ＡＴＭセル送信部３１は、音声パケットＶに係るＡＴＭセルのペイロード部分の値を検索する機能を有し、事前に特定パターンを登録しておく機能も有する。ＡＴＭセル送信部３１は、受信した音声パケットＶに係るＡＴＭセルにおける特定パターンを検出し、かつ、ＲＮＣ２に対して音声パケットＶに係るＡＴＭセルの最後のビットを送信したときに、遅延測定用パケット生成部３３に対して遅延測定用パケットＡの送信を指示する送信指示信号Ａを送信する。
【００３１】
遅延測定用パケット生成部３３は、ＡＴＭセル送信部３１からの送信指示信号Ａを受信したときに、遅延測定用パケットＡを生成し、生成された遅延測定用パケットＡを、ポート３５、Ｌ２ＳＷ１０を介して遅延測定端末６に向けて送信する。
【００３２】
ＡＴＭインタフェース部３０は、Ｌ２ＳＷ１０に対して２つのポート３４、３５を有する。ポート３４は、音声パケットＶを導通させる用途で使用するポートである。ポート３５は、遅延測定用パケットＡを導通させる用途で使用するポートである。音声パケットＶと遅延測定用パケットＡの導通ルートを同一ポートにしないことで、２種類のパケット処理遅延がお互いに影響しないようにし、伝送遅延測定精度を上げている。
【００３３】
ここで、遅延測定用パケット生成部２３、３３は、互いに同様な電子回路で構成されている。また、同じ周波数のクロックで動作させるために、遅延測定用パケット生成部２３、３３間の処理差分はない。このことから伝送遅延測定に対して、これら２つの生成部２３、３３の差分が影響することはない。
【００３４】
ＲＮＣ２は、３Ｇネットワークにおける無線ネットワーク制御局である。ＲＮＣ２は、ＡＴＭインタフェース部３０のＡＴＭセル送信部３１と通信可能に接続されている。
【００３５】
音声パケットジェネレータ５は、遅延測定用の音声パケットＶ（ＩＰベースのテストデータ）をＩＰインタフェース部２０のＩＰパケット受信部２１に向けて送信する。
【００３６】
遅延測定端末６は、ＭＧＷ装置１内の伝送遅延を測定するコンピュータ端末である。遅延測定端末６は、ＭＧＷ装置１におけるＬ２ＳＷ１０と通信可能に接続されている。遅延測定端末６は、遅延測定用パケットＡ、Ｉを受信する機能と、パケット到達時刻を表示、および時間差（Ｔ１）を算出する機能を有する。
【００３７】
次に、本発明の実施例１に係るメディアゲートウェイ装置の伝送遅延測定方法について図１を参照しながら説明する。
【００３８】
まず、音声パケットジェネレータ５より音声パケットＶ（ＩＰパケット）をＩＰインタフェース部２０に向けて送信する。このとき、音声パケットＶにおけるペイロード部に特定パターンを入れておく。例えば、０ｘＡ５Ａ５Ａ５Ａ５の４ｂｙｔｅ分を投入しておく。
【００３９】
ＩＰインタフェース部２０のＩＰパケット受信部２１において、音声パケットジェネレータ５からの音声パケットＶが受信されると、音声パケットＶにおける特定パターンを検出し、内部送信処理部２２に対して音声パケットＶの最後のｂｉｔを送信した際に、送信指示信号Ｉを遅延測定用パケット生成部２３に向けて送信する。
【００４０】
音声パケットＶを受信した内部送信処理部２２は、音声パケットＶを所定サイズのセルに分割し、分割された音声パケットＶに係るセルを、Ｌ２ＳＷ１０を介してＡＴＭインタフェース部３０に送信する。
【００４１】
送信指示信号Ｉを受信した遅延測定用パケット生成部２３は、遅延測定用パケットＩを生成し、遅延測定端末６に向けて送信する。
【００４２】
ＡＴＭインタフェース部３０の内部受信処理部３２において、音声パケットＶに係るセルが受信されると、音声パケットＶに係るセルに基づいてＡＴＭセルを生成し、生成された音声パケットＶに係るＡＴＭセルをＡＴＭセル送信部３１に向けて送信する。
【００４３】
音声パケットＶに係るＡＴＭセルを受信したＡＴＭセル送信部３１は、音声パケットＶに係るＡＴＭセルにおける特定パターンを検出し、ＲＮＣ２に対して音声パケットＶに係るＡＴＭセルの最後のビットを送信した際に、送信支持信号Ａを遅延測定用パケット生成部３３に向けて送信する。
【００４４】
送信指示信号Ａを受信した遅延測定用パケット生成部３３は、遅延測定用パケットＡを生成し、遅延測定端末６に向けて送信する。
【００４５】
遅延測定用パケットＩと遅延測定用パケットＡを受信した遅延測定端末６では、２つのパケットの到達時刻を表示し、到達時刻の差分Ｔ１を算出することになる。
【００４６】
実施例１によれば、ＭＧＷ装置１内部に遅延測定用の音声パケットＶにおける特定パターンを検出する機能と、遅延測定用パケットを生成する機能と、遅延測定用パケットを遅延測定端末に送信する機能と、を備えることで、より正確な精度の遅延測定が可能となる。また、現状の測定作業工数および、測定機材開発費、購入費を削減することができる。
【００４７】
なお、実施例１ではＩＰ−ＡＴＭ回線を例に説明したが、ＩＰ−ＴＤＭ（Time Division Multiplex；時分割多重化）回線でも実施可能である。また、実施例１ではＩＰ網側の音声パケットジェネレータからＲＮＣへの方向の伝送遅延測定について説明したが、ＲＮＣ側からＩＰ網への方向の伝送遅延測定にも適用可能である。
【符号の説明】
【００４８】
１、１０１  ＭＧＷ装置（メディアゲートウェイ装置）
２  ＲＮＣ（第２ネットワーク）
３  ＩＰ網（第１ネットワーク）
４  ＡＴＭアナライザ
５  音声パケットジェネレータ
６  遅延測定端末
１０、１１０  Ｌ２ＳＷ（スイッチ部）
２０、１２０  ＩＰインタフェース部（第１インタフェース部）
２１  ＩＰパケット受信部（第１通信部）
２２  内部送信処理部（第１内部通信処理部）
２３  遅延測定用パケット生成部（第１生成部）
２４、２５  ポート
３０、１３０  ＡＴＭインタフェース部（第２インタフェース部）
３１  ＡＴＭセル送信部（第２通信部）
３２  内部受信処理部（第２内部通信処理部）
３３  遅延測定用パケット生成部（第２生成部）
３４、３５  ポート
【図１】
2011035674.tif 000003
【図２】
2011035674.tif 000004
【図３】
2011035674.tif 000005